【手続補正書】
【提出日】平成17年1月11日(2005.1.11)
【手続補正１】
【補正対象書類名】明細書
【補正対象項目名】発明の名称
【補正方法】変更
【補正の内容】
【発明の名称】発光装置、電子機器、及び発光装置の駆動方法
【手続補正２】
【補正対象書類名】明細書
【補正対象項目名】特許請求の範囲
【補正方法】変更
【補正の内容】
【特許請求の範囲】
【請求項１】
第１のトランジスタと、第２のトランジスタと、エレクトロユミネッセンスが得られる発光素子と、電源線とを有する発光装置であって、
前記第１のトランジスタのゲート電極と、前記第２のトランジスタのゲート電極とは接続されており、
前記第１のトランジスタのソース領域、及び前記第２のトランジスタのソース領域は前記電源線に接続されており、
前記第２のトランジスタのドレイン領域は、前記発光素子の電極に接続されており、
前記第１及び第２のトランジスタは飽和領域で動作しており、
１フレーム期間内に、前記第１のトランジスタのゲート電極とドレイン領域が接続されている期間が複数設けられていることを特徴とする発光装置。
【請求項２】
第１のトランジスタと、第２のトランジスタと、エレクトロユミネッセンスが得られる発光素子と、電源線とを有する発光装置であって、
前記第１のトランジスタのゲート電極と、前記第２のトランジスタのゲート電極とは接続されており、
前記第１のトランジスタのソース領域、及び前記第２のトランジスタのソース領域は前記電源線に接続されており、
前記第２のトランジスタのドレイン領域は、前記発光素子の電極に接続されており、
前記第１及び第２のトランジスタは飽和領域で動作しており、
１フレーム期間内に、前記第１のトランジスタのゲート電極とドレイン領域が接続されている期間が複数設けられており、
前記第１のトランジスタのゲート電極とドレイン領域が接続されている前記期間において、前記第１のトランジスタのドレイン電流の大きさを制御することで、前記発光素子の輝度を制御することを特徴とする発光装置。
【請求項３】
第１のトランジスタと、第２のトランジスタと、第３のトランジスタと、第４のトランジスタと、エレクトロユミネッセンスが得られる発光素子と、電源線と、信号線と、走査線とを有する発光装置であって、
前記第３のトランジスタのゲート電極及び第４のトランジスタのゲート電極は、前記走査線に接続されており、
前記第３のトランジスタのソース領域又はドレイン領域の一方は、前記信号線に、他方は前記第１のトランジスタのドレイン領域に接続されており、
前記第４のトランジスタのソース領域又はドレイン領域の一方は、前記信号線に、他方は前記第１のトランジスタのゲート電極に接続されており、
前記第１のトランジスタのゲート電極と、前記第２のトランジスタのゲート電極とは接続されており、
前記第１のトランジスタのソース領域、及び前記第２のトランジスタのソース領域は前記電源線に接続されており、
前記第２のトランジスタのドレイン領域は、前記発光素子の電極に接続されており、
前記第１及び第２のトランジスタは飽和領域で動作していることを特徴とする発光装置。
【請求項４】
第１のトランジスタと、第２のトランジスタと、第３のトランジスタと、第４のトランジスタと、エレクトロユミネッセンスが得られる発光素子と、電源線と、信号線と、走査線とを有する発光装置であって、
前記第３のトランジスタのゲート電極及び第４のトランジスタのゲート電極は、前記走査線に接続されており、
前記第３のトランジスタのソース領域又はドレイン領域の一方は、前記信号線に、他方は前記第１のトランジスタのドレイン領域に接続されており、
前記第４のトランジスタのソース領域又はドレイン領域の一方は、前記信号線に、他方は前記第１のトランジスタのゲート電極に接続されており、
前記第１のトランジスタのゲート電極と、前記第２のトランジスタのゲート電極とは接続されており、
前記第１のトランジスタのソース領域、及び前記第２のトランジスタのソース領域は前記電源線に接続されており、
前記第２のトランジスタのドレイン領域は、前記発光素子の電極に接続されており、
前記第１及び第２のトランジスタは飽和領域で動作しており、
前記第１のトランジスタのドレイン電流の大きさを制御することで、前記発光素子の輝度を制御することを特徴とする発光装置。
【請求項５】
第１のトランジスタと、第２のトランジスタと、第３のトランジスタと、第４のトランジスタと、エレクトロユミネッセンスが得られる発光素子と、電源線と、信号線と、走査線とを有する発光装置であって、
前記第３のトランジスタのゲート電極及び第４のトランジスタのゲート電極は、前記走査線に接続されており、
前記第３のトランジスタのソース領域又はドレイン領域の一方は、前記信号線に、他方は前記第１のトランジスタのドレイン領域に接続されており、
前記第４のトランジスタのソース領域又はドレイン領域の一方は、前記第１のトランジスタのドレイン領域に、他方は    前記第１のトランジスタのゲート電極に接続されており、
前記第１のトランジスタのゲート電極と、前記第２のトランジスタのゲート電極とは接続されており、
前記第１のトランジスタのソース領域、及び前記第２のトランジスタのソース領域は前記電源線に接続されており、
前記第２のトランジスタのドレイン領域は、前記発光素子の電極に接続されており、
前記第１及び第２のトランジスタは飽和領域で動作していることを特徴とする発光装置。
【請求項６】
第１のトランジスタと、第２のトランジスタと、第３のトランジスタと、第４のトランジスタと、エレクトロユミネッセンスが得られる発光素子と、電源線と、信号線と、走査線とを有する発光装置であって、
前記第３のトランジスタのゲート電極及び第４のトランジスタのゲート電極は、前記走査線に接続されており、
前記第３のトランジスタのソース領域又はドレイン領域の一方は、前記信号線に、他方は前記第１のトランジスタのドレイン領域に接続されており、
前記第４のトランジスタのソース領域又はドレイン領域の一方は、前記第１のトランジスタのドレイン領域に、他方は前記第１のトランジスタのゲート電極に接続されており、
前記第１のトランジスタのゲート電極と、前記第２のトランジスタのゲート電極とは接続されており、
前記第１のトランジスタのソース領域、及び前記第２のトランジスタのソース領域は前記電源線に接続されており、
前記第２のトランジスタのドレイン領域は、前記発光素子の電極に接続されており、
前記第１及び第２のトランジスタは飽和領域で動作しており、
前記第１のトランジスタのドレイン電流の大きさを制御することで、前記発光素子の輝度を制御することを特徴とする発光装置。
【請求項７】
第１のトランジスタと、第２のトランジスタと、第３のトランジスタと、第４のトランジスタと、エレクトロユミネッセンスが得られる発光素子と、電源線と、信号線と、走査線とを有する発光装置であって、
前記第３のトランジスタのゲート電極及び第４のトランジスタのゲート電極は、前記走査線に接続されており、
前記第３のトランジスタのソース領域又はドレイン領域の一方は、前記信号線に、他方は前記第１のトランジスタのゲート電極に接続されており、
前記第４のトランジスタのソース領域又はドレイン領域の一方は、前記第１のトランジスタのゲート電極に、他方は前記第１のトランジスタのドレイン領域に接続されており、
前記第１のトランジスタのゲート電極と、前記第２のトランジスタのゲート電極とは接続されており、
前記第１のトランジスタのソース領域、及び前記第２のトランジスタのソース領域は前記電源線に接続されており、
前記第２のトランジスタのドレイン領域は、前記発光素子の電極に接続されており、
前記第１及び第２のトランジスタは飽和領域で動作していることを特徴とする発光装置。
【請求項８】
第１のトランジスタと、第２のトランジスタと、第３のトランジスタと、第４のトランジスタと、エレクトロユミネッセンスが得られる発光素子と、電源線と、信号線と、走査線とを有する発光装置であって、
前記第３のトランジスタのゲート電極及び第４のトランジスタのゲート電極は、前記走査線に接続されており、
前記第３のトランジスタのソース領域又はドレイン領域の一方は、前記信号線に、他方は前記第１のトランジスタのゲート電極に接続されており、
前記第４のトランジスタのソース領域又はドレイン領域の一方は、前記第１のトランジスタのゲート電極に、他方は前記第１のトランジスタのドレイン領域に接続されており、
前記第１のトランジスタのゲート電極と、前記第２のトランジスタのゲート電極とは接続されており、
前記第１のトランジスタのソース領域、及び前記第２のトランジスタのソース領域は前記電源線に接続されており、
前記第２のトランジスタのドレイン領域は、前記発光素子の電極に接続されており、
前記第１及び第２のトランジスタは飽和領域で動作しており、
前記第１のトランジスタのドレイン電流の大きさを制御することで、前記発光素子の輝度を制御することを特徴とする発光装置。
【請求項９】
第１のトランジスタと、第２のトランジスタと、第３のトランジスタと、第４のトランジスタと、第５のトランジスタと、エレクトロユミネッセンスが得られる発光素子と、電源線と、信号線と、第１走査線と、第２走査線とを有する発光装置であって、
前記第３のトランジスタのゲート電極及び第４のトランジスタのゲート電極は、前記第１走査線に接続されており、
前記第３のトランジスタのソース領域又はドレイン領域の一方は、前記信号線に、他方は前記第１のトランジスタのドレイン領域に接続されており、
前記第４のトランジスタのソース領域又はドレイン領域の一方は、前記信号線に、他方は前記第１のトランジスタのゲート電極に接続されており、
前記第１のトランジスタのゲート電極と、前記第２のトランジスタのゲート電極とは接続されており、
前記第１のトランジスタのソース領域、及び前記第２のトランジスタのソース領域は前記電源線に接続されており、
前記第２のトランジスタのドレイン領域は、前記発光素子の電極に接続されており、
前記第５のトランジスタのゲート電極は、前記第２走査線に接続されており、
前記第５のトランジスタのソース領域又はドレイン領域の一方は、前記電源線に接続されており、他方は前記第１のトランジスタのゲート電極に接続されており、
前記第１及び第２のトランジスタは飽和領域で動作していることを特徴とする発光装置。
【請求項１０】
第１のトランジスタと、第２のトランジスタと、第３のトランジスタと、第４のトランジスタと、第５のトランジスタと、エレクトロユミネッセンスが得られる発光素子と、電源線と、信号線と、第１走査線と、第２走査線とを有する発光装置であって、
前記第３のトランジスタのゲート電極及び第４のトランジスタのゲート電極は、前記第１走査線に接続されており、
前記第３のトランジスタのソース領域又はドレイン領域の一方は、前記信号線に、他方は前記第１のトランジスタのドレイン領域に接続されており、
前記第４のトランジスタのソース領域又はドレイン領域の一方は、前記信号線に、他方は前記第１のトランジスタのゲート電極に接続されており、
前記第１のトランジスタのゲート電極と、前記第２のトランジスタのゲート電極とは接続されており、
前記第１のトランジスタのソース領域、及び前記第２のトランジスタのソース領域は前記電源線に接続されており、
前記第２のトランジスタのドレイン領域は、前記発光素子の電極に接続されており、
前記第５のトランジスタのゲート電極は、前記第２走査線に接続されており、
前記第５のトランジスタのソース領域又はドレイン領域の一方は、前記電源線に接続されており、他方は前記第１のトランジスタのゲート電極に接続されており、
前記第１及び第２のトランジスタは飽和領域で動作しており、
前記第１のトランジスタのドレイン電流の大きさを制御することで、前記発光素子の輝度を制御することを特徴とする発光装置。
【請求項１１】
請求項９又は１０において、
前記第４のトランジスタのソース領域又はドレイン領域の一方は、前記第３のトランジスタを介して前記信号線に接続されていることを特徴とする発光装置。
【請求項１２】
第１のトランジスタと、第２のトランジスタと、第３のトランジスタと、第４のトランジスタと、第５のトランジスタと、エレクトロユミネッセンスが得られる発光素子と、電源線と、信号線と、第１走査線と、第２走査線とを有する発光装置であって、
前記第３のトランジスタのゲート電極及び第４のトランジスタのゲート電極は、前記第１走査線に接続されており、
前記第３のトランジスタのソース領域又はドレイン領域の一方は、前記信号線に、他方は前記第１のトランジスタのゲート電極に接続されており、
前記第４のトランジスタのソース領域又はドレイン領域の一方は、前記第３のトランジスタを介して、前記信号線に、他方は前記第１のトランジスタのソース領域又はドレイン領域に接続されており、
前記第１のトランジスタのゲート電極と、前記第２のトランジスタのゲート電極とは接続されており、
前記第１のトランジスタのソース領域、及び前記第２のトランジスタのソース領域は前記電源線に接続されており、
前記第２のトランジスタのドレイン領域は、前記発光素子の電極に接続されており、
前記第５のトランジスタのゲート電極は、前記第２走査線に接続されており、
前記第５のトランジスタのソース領域又はドレイン領域の一方は、前記電源線に接続されており、他方は前記第１のトランジスタのゲート電極に接続されており、
前記第１及び第２のトランジスタは飽和領域で動作していることを特徴とする発光装置。
【請求項１３】
第１のトランジスタと、第２のトランジスタと、第３のトランジスタと、第４のトランジスタと、第５のトランジスタと、エレクトロユミネッセンスが得られる発光素子と、電源線と、信号線と、第１走査線と、第２走査線とを有する発光装置であって、
前記第３のトランジスタのゲート電極及び第４のトランジスタのゲート電極は、前記第１走査線に接続されており、
前記第３のトランジスタのソース領域又はドレイン領域の一方は、前記信号線に、他方は前記第１のトランジスタのゲート電極に接続されており、
前記第４のトランジスタのソース領域又はドレイン領域の一方は、前記第３のトランジスタを介して、前記信号線に、他方は前記第１のトランジスタのソース領域又はドレイン領域に接続されており、
前記第１のトランジスタのゲート電極と、前記第２のトランジスタのゲート電極とは接続されており、
前記第１のトランジスタのソース領域、及び前記第２のトランジスタのソース領域は前記電源線に接続されており、
前記第２のトランジスタのドレイン領域は、前記発光素子の電極に接続されており、
前記第５のトランジスタのゲート電極は、前記第２走査線に接続されており、
前記第５のトランジスタのソース領域又はドレイン領域の一方は、前記電源線に接続されており、他方は前記第１のトランジスタのゲート電極に接続されており、
前記第１及び第２のトランジスタは、飽和領域で動作しており、
前記第１のトランジスタのドレイン電流の大きさを制御することで、前記発光素子の輝度を制御することを特徴とする発光装置。
【請求項１４】
請求項９乃至１３のいずれか一において、
前記第５のトランジスタは、前記発光素子の発光を消去する機能を有することを特徴とする発光装置。
【請求項１５】
請求項２、４、６、８、１０、及び１３のいずれか一において、
前記第１のトランジスタのドレイン電流の大きさを、デジタルビデオ信号により制御することで、前記発光素子の輝度を制御することを特徴とする発光装置。
【請求項１６】
請求項３乃至請求項１５のいずれか一において、前記第３のトランジスタと前記第４のトランジスタの極性が同じであることを特徴とする発光装置。
【請求項１７】
請求項１乃至請求項１６のいずれか一において、前記第１のトランジスタと前記第２のトランジスタの極性が同じであることを特徴とする発光装置。
【請求項１８】
請求項１乃至請求項１７のいずれか一に記載の発光装置を用いることを特徴とする電子機器。
【請求項１９】
第１のトランジスタと、第２のトランジスタと、第３のトランジスタと、第４のトランジスタと、エレクトロユミネッセンスが得られる発光素子と、電源線と、信号線と、走査線とを有し、
前記第３のトランジスタのゲート電極及び第４のトランジスタのゲート電極は、前記走査線に接続されており、
前記第３のトランジスタのソース領域又はドレイン領域の一方は、前記信号線に、他方は前記第１のトランジスタのドレイン領域に接続されており、
前記第４のトランジスタのソース領域又はドレイン領域の一方は、前記信号線に、他方は前記第１のトランジスタのゲート電極に接続されており、
前記第１のトランジスタのゲート電極と、前記第２のトランジスタのゲート電極とは接続されており、
前記第１のトランジスタのソース領域、及び前記第２のトランジスタのソース領域は前記電源線に接続されており、
前記第２のトランジスタのドレイン領域は、前記発光素子の電極に接続されており、
前記第１及び第２のトランジスタは飽和領域で動作する発光装置の駆動方法であって、
１フレーム期間内に、前記第３のトランジスタ及び前記第４のトランジスタがオンになる期間と、前記第３のトランジスタ及び前記第４のトランジスタがオフになる期間とを複数有し、
前記第３のトランジスタ及び前記第４のトランジスタがオンになる期間において、前記信号線に流れる電流の大きさを制御することで、前記発光素子の輝度を制御することを特徴とする発光装置の駆動方法。
【請求項２０】
第１のトランジスタと、第２のトランジスタと、第３のトランジスタと、第４のトランジスタと、エレクトロユミネッセンスが得られる発光素子と、電源線と、信号線と、走査線とを有し、
前記第３のトランジスタのゲート電極及び第４のトランジスタのゲート電極は、前記走査線に接続されており、
前記第３のトランジスタのソース領域又はドレイン領域の一方は、前記信号線に、他方は前記第１のトランジスタのドレイン領域に接続されており、
前記第４のトランジスタのソース領域又はドレイン領域の一方は、前記第１のトランジスタのドレイン領域に、他方は前記第１のトランジスタのゲート電極に接続されており、
前記第１のトランジスタのゲート電極と、前記第２のトランジスタのゲート電極とは接続されており、
前記第１のトランジスタのソース領域、及び前記第２のトランジスタのソース領域は前記電源線に接続されており、
前記第２のトランジスタのドレイン領域は、前記発光素子の電極に接続されており、
前記第１及び第２のトランジスタは飽和領域で動作する発光装置の駆動方法であって、
１フレーム期間内に、前記第３のトランジスタ及び前記第４のトランジスタがオンになる期間と、前記第３のトランジスタ及び前記第４のトランジスタがオフになる期間とを複数有し、
前記第３のトランジスタ及び前記第４のトランジスタがオンになる期間において、前記信号線に流れる電流の大きさを制御することで、前記発光素子の輝度を制御することを特徴とする発光装置の駆動方法。
【請求項２１】
第１のトランジスタと、第２のトランジスタと、第３のトランジスタと、第４のトランジスタと、エレクトロユミネッセンスが得られる発光素子と、電源線と、信号線と、走査線とを有し、
前記第３のトランジスタのゲート電極及び第４のトランジスタのゲート電極は、前記走査線に接続されており、
前記第３のトランジスタのソース領域又はドレイン領域の一方は、前記信号線に、他方は前記第１のトランジスタのゲート電極に接続されており、
前記第４のトランジスタのソース領域又はドレイン領域の一方は、前記第１のトランジスタのゲート電極に、他方は前記第１のトランジスタのドレイン領域に接続されており、
前記第１のトランジスタのゲート電極と、前記第２のトランジスタのゲート電極とは接続されており、
前記第１のトランジスタのソース領域、及び前記第２のトランジスタのソース領域は前記電源線に接続されており、
前記第２のトランジスタのドレイン領域は、前記発光素子の電極に接続されており、
前記第１及び第２のトランジスタは飽和領域で動作する発光装置の駆動方法であって、
１フレーム期間内に、前記第３のトランジスタ及び前記第４のトランジスタがオンになる期間と、前記第３のトランジスタ及び前記第４のトランジスタがオフになる期間とを複数有し、
前記第３のトランジスタ及び前記第４のトランジスタがオンになる期間において、前記信号線に流れる電流の大きさを制御することで、前記発光素子の輝度を制御することを特徴とする発光装置の駆動方法。
【請求項２２】
第１のトランジスタと、第２のトランジスタと、第３のトランジスタと、第４のトランジスタと、エレクトロユミネッセンスが得られる発光素子と、電源線と、信号線と、走査線とを有し、
前記第３のトランジスタのゲート電極及び第４のトランジスタのゲート電極は、前記走査線に接続されており、
前記第３のトランジスタのソース領域又はドレイン領域の一方は、前記信号線に、他方は前記第１のトランジスタのゲート電極に接続されており、
前記第４のトランジスタのソース領域又はドレイン領域の一方は、前記第１のトランジスタのゲート電極に、他方は前記第１のトランジスタのドレイン領域に接続されており、
前記第１のトランジスタのゲート電極と、前記第２のトランジスタのゲート電極とは接続されており、
前記第１のトランジスタのソース領域、及び前記第２のトランジスタのソース領域は前記電源線に接続されており、
前記第２のトランジスタのドレイン領域は、前記発光素子の電極に接続されており、
前記第１及び第２のトランジスタは飽和領域で動作する発光装置の駆動方法であって、
１フレーム期間内に書き込み期間と表示期間とを複数有し、
前記書き込み期間では前記信号線と、前記電源線との間に電流が流れ、前記電流は前記第１のトランジスタが飽和領域で動作するように、前記信号線に流れる電流の大きさを制御し、前記電流と同じ大きさの電流が前記第２のトランジスタを介して前記発光素子に流れ、
前記表示期間では、前記第１のトランジスタのドレイン領域はフローティング状態となり、前記第２のトランジスタで保持された前記電流が前記発光素子に流れることを特徴とする発光装置の駆動方法。
【手続補正３】
【補正対象書類名】明細書
【補正対象項目名】００３６
【補正方法】変更
【補正の内容】
【００３６】
次に、本発明の発光装置の駆動について、図３、図４を用いて説明する。本発明の発光装置の駆動は、書き込み期間Ｔａと表示期間Ｔｄとに分けて説明することができる。図３に、各走査線のタイミングチャートを示す。走査線が選択されている期間、言いかえると該走査線にゲート電極が接続されているＴＦＴが全てオンの状態にある期間は、ＯＮで示す。逆に、走査線が選択されていない期間、言いかえると該走査線にゲート電極が接続されているＴＦＴが全てオフの状態にある期間は、ＯＦＦで示す。また図４は、書き込み期間Ｔａと表示期間ＴｄにおけるトランジスタＴｒ１とトランジスタＴｒ２の接続を、簡単に示した図である。
【手続補正４】
【補正対象書類名】明細書
【補正対象項目名】００３９
【補正方法】変更
【補正の内容】
【００３９】
トランジスタＴｒ１及びトランジスタＴｒ２はオンの状態にあるので、信号線Ｓｉに一定の電流Ｉｃが流れると、一定の電流ＩｃはトランジスタＴｒ１のドレイン領域とソース領域の間に流れる。このとき電流Ｉｃは、トランジスタＴｒ１が飽和領域で動作するように、定電流源１０７においてその大きさが制御されている。飽和領域において、ＶGSはゲート電極とソース領域間の電位差（ゲート電圧）、μをトランジスタの移動度、Ｃ0を単位面積あたりのゲート容量、Ｗ／Ｌをチャネル形成領域のチャネル幅Ｗとチャネル長Ｌの比、ＶTHを閾値、μを移動度、トランジスタＴｒ１のドレイン電流をＩ1とすると、以下の式１が成り立つ。
【手続補正５】
【補正対象書類名】明細書
【補正対象項目名】００４７
【補正方法】変更
【補正の内容】
【００４７】
図４（Ｂ）に、表示期間Ｔｄにおける画素の概略図を示す。トランジスタＴｒ１及びトランジスタＴｒ２はオフの状態にある。また、トランジスタＴｒ１及びトランジスタＴｒ２のソース領域は電源線Ｖｉに接続されており、一定の電位（電源電位）に保たれている。
【手続補正６】
【補正対象書類名】明細書
【補正対象項目名】００７７
【補正方法】変更
【補正の内容】
【００７７】
トランジスタＴｒ３のソース領域とドレイン領域は、一方は信号線Ｓｉに、もう一方はトランジスタＴｒ１のゲート電極に接続されている。また、トランジスタＴｒ４のソース領域とドレイン領域は、一方はトランジスタＴｒ１のドレイン領域に、もう一方はトランジスタＴｒ１のゲート電極に接続されている。